(57)【要約】【課題】低コストで、装着性及び着用感に優れるパンツタイプ吸収性物品及びその製造方法を提供する。【解決手段】サイズに応じて小さいものから順に、Ｏ、Ｐ、Ｑに区分した場合において、ＯとＰの中間のサイズであるＯ−Ｐ、又は、ＰとＱの中間のサイズであるＰ−Ｑ、のパンツタイプ吸収性物品であり、伸縮性弾性部材を配設する前のＯ−Ｐ又はＰ―Ｑのパンツタイプ吸収性物品の展開時の長手方向及び幅方向の寸法は、伸縮性弾性部材を配設する前のＰのパンツタイプ吸収性物品の展開時の長手方向及び幅方向のそれぞれの寸法と同一であり、所定の着圧比率及び伸張率比率を調整した中間サイズのパンツタイプ吸収性物品を提供する。【選択図】図１
2018186902.tif 000002
【特許請求の範囲】
【請求項１】
前側胴回り領域及び後側胴回り領域の上部にウエスト開口部を形成し、前側胴回り領域及び後側胴回り領域の間の股領域の左右両側にレッグ開口部を形成した、パンツタイプ吸収性物品であって、
前記パンツタイプ吸収性物品は、
液透過性のトップシート、液不透過性のバックシート、並びにトップシート及びバックシートの間に配置される吸収体、から構成される吸収性本体と、
パンツタイプ吸収性物品の外形形状を構成する外装不織布シート、及び外装不織布シートに対して身体側に設けられる内装不織布シート、から構成される外装体と、を有し、
前記ウエスト開口部の周縁、前記レッグ開口部の周縁、前記前側胴回り領域、前記後側胴回り領域、及び前記股領域においては、前記外装不織布シート及び前記内装不織布シートの間に、複数の伸縮性弾性部材が配置されて、前記外装不織布シート及び前記内装不織布シートに接合されており、
パンツタイプ吸収性物品を、サイズに応じて小さいものから順に、Ｏ、Ｐ、Ｑに区分し、ＯとＰの中間のサイズであるＯ−Ｐのパンツタイプ吸収性物品であって、
伸縮性弾性部材を配設する前のＯ−Ｐのパンツタイプ吸収性物品の展開時の長手方向及び幅方向の寸法は、伸縮性弾性部材を配設する前のＰのパンツタイプ吸収性物品の展開時の長手方向及び幅方向のそれぞれの寸法と同一であり、
さらに、前記ウエスト開口部から前記レッグ開口部にかけて、長手方向に、第１領域、第２領域、第３領域、第４領域、第５領域及び第６領域に６等分した場合において、
Ｐのパンツタイプ吸収性物品の第１領域から第６領域の各着圧に対する、Ｏ−Ｐのパンツタイプ吸収性物品の対応する各領域の各着圧との比率を示す着圧比率において、第１領域の着圧比率が、第２領域から第６領域の着圧比率の平均値よりも小さく、
Ｐのパンツタイプ吸収性物品の第１領域から第６領域の各伸張率に対する、Ｏ−Ｐのパンツタイプ吸収性物品の対応する各領域の各伸張率との比率を示す伸張率比率において、第１領域の伸張率比率が、第２領域から第６領域の伸張率比率の平均値よりも小さい、パンツタイプ吸収性物品。
【請求項２】
Ｐのパンツタイプ吸収性物品の第２領域から第６領域の各着圧に対する、Ｏ−Ｐのパンツタイプ吸収性物品の対応する各領域の各着圧との比率を示す着圧比率において、第２領域から第６領域の着圧比率の平均値が、１２０％以上１３５％以下である、請求項１に記載のパンツタイプ吸収性物品。
【請求項３】
Ｐのパンツタイプ吸収性物品の第１領域から第６領域の各着圧に対する、Ｏ−Ｐのパンツタイプ吸収性物品の対応する各領域の各着圧との比率を示す着圧比率が、１１５％以上１４０％以下である、請求項１又は２に記載のパンツタイプ吸収性物品。
【請求項４】
Ｐのパンツタイプ吸収性物品の第２領域から第６領域の各伸張率に対する、Ｏ−Ｐのパンツタイプ吸収性物品の対応する各領域の各伸張率との比率を示す伸張率比率において、第２領域から第６領域の伸張率比率の平均値が、１１０％以上１２５％以下である、請求項１から３のいずれかに記載のパンツタイプ吸収性物品。
【請求項５】
前側胴回り領域及び後側胴回り領域の上部にウエスト開口部を形成し、前側胴回り領域及び後側胴回り領域の間の股領域の左右両側にレッグ開口部を形成した、パンツタイプ吸収性物品であって、
前記パンツタイプ吸収性物品は、
液透過性のトップシート、液不透過性のバックシート、並びにトップシート及びバックシートの間に配置される吸収体、から構成される吸収性本体と、
パンツタイプ吸収性物品の外形形状を構成する外装不織布シート、及び外装不織布シートに対して身体側に設けられる内装不織布シート、から構成される外装体と、を有し、
前記ウエスト開口部の周縁、前記レッグ開口部の周縁、前記前側胴回り領域、前記後側胴回り領域、及び前記股領域においては、前記外装不織布シート及び前記内装不織布シートの間に、複数の伸縮性弾性部材が配置されて、前記外装不織布シート及び前記内装不織布シートに接合されており、
さらに、パンツタイプ吸収性物品を、サイズに応じて小さいものから順に、Ｏ、Ｐ、Ｑに区分し、ＰとＱの中間のサイズであるＰ−Ｑのパンツタイプ吸収性物品であって、
伸縮性弾性部材を配設する前のＰ−Ｑのパンツタイプ吸収性物品の展開時の長手方向及び幅方向の寸法は、伸縮性弾性部材を配設する前のＰのパンツタイプ吸収性物品の展開時の長手方向及び幅方向のそれぞれの寸法と同一であり、
さらに、前記ウエスト開口部から前記レッグ開口部にかけて、長手方向に、第１領域、第２領域、第３領域、第４領域、第５領域及び第６領域に６等分した場合において、
Ｐのパンツタイプ吸収性物品の第１領域から第６領域の各着圧に対する、Ｐ−Ｑのパンツタイプ吸収性物品の対応する各領域の各着圧との比率を示す着圧比率において、第１領域の着圧比率が、第２領域から第６領域の着圧比率の平均値よりも大きく、
Ｐのパンツタイプ吸収性物品の第１領域から第６領域の各伸張率に対する、Ｐ−Ｑのパンツタイプ吸収性物品の対応する各領域の各伸張率との比率を示す伸張率比率において、第１領域の伸張率比率が、第２領域から第６領域の伸張率比率の平均値よりも大きい、パンツタイプ吸収性物品。
【請求項６】
Ｐのパンツタイプ吸収性物品の第２領域から第６領域の各着圧に対する、Ｐ−Ｑのパンツタイプ吸収性物品の対応する各領域の各着圧との比率を示す着圧比率において、第２領域から第６領域の着圧比率の平均値が、６０％以上７５％以下である、請求項５に記載のパンツタイプ吸収性物品。
【請求項７】
Ｐのパンツタイプ吸収性物品の第１領域から第６領域の各着圧に対する、Ｐ−Ｑのパンツタイプ吸収性物品の対応する各領域の各着圧との比率を示す着圧比率が、５５％以上８０％以下である、請求項５又は６に記載のパンツタイプ吸収性物品。
【請求項８】
Ｐのパンツタイプ吸収性物品の第２領域から第６領域の各伸張率に対する、Ｐ−Ｑのパンツタイプ吸収性物品の対応する各領域の各伸張率との比率を示す伸張率比率において、第２領域から第６領域の伸張率比率の平均値が、８０％以上９０％以下である、請求項５から７のいずれかに記載のパンツタイプ吸収性物品。
【請求項９】
前記吸収体を前記トップシートと前記バックシートとの間に挟持し、トップシートとバックシートを接合して前記吸収性本体を作製する工程と、
前記ウエスト開口部の周縁、前記レッグ開口部の周縁、前記前側胴回り領域、前記後側胴回り領域、及び前記股領域において、前記外装不織布シート及び前記内装不織布シートの間に、複数の前記伸縮性弾性部材を配置し、前記外装不織布シート及び前記内装不織布シートに接合する工程と、
前記外装体の身体側に前記吸収性本体を配設する工程と、
前記前側胴回り領域及び前記後側胴回り領域の両側縁を接続する工程と、を有するパンツタイプ吸収性物品の製造方法であって、
Ｏ−Ｐ又はＰ−Ｑのパンツタイプ吸収性物品の製造において、Ｐのパンツタイプ吸収性物品と同じ製造装置を用いることを特徴とする、請求項１から８のいずかに記載のパンツタイプ吸収性物品の製造方法。
【発明の詳細な説明】
【技術分野】
【０００１】
本発明は、低コストで、装着性及び着用感に優れる、パンツタイプ吸収性物品及びその製造方法に関する。
【背景技術】
【０００２】
従来、幼児、成人及び病人の排泄物を吸収するため、パンツ型の紙おむつ（パンツタイプ吸収性物品）が使用されている。パンツタイプ吸収性物品は、ウエスト開口部と一対のレッグ開口部とを形成するとともに、排泄物を吸収する吸収性本体とその支持部材である外装体を有し、吸収性本体が前後から着用者の股間部を覆っている。そして、レッグ開口部に着用者の両足を入れ、紙おむつ本体を胴回りへ引っ張り上げて着用する。
【０００３】
このようなパンツタイプ吸収性物品においては、幼児用及び成人用ともに、着用者の体型に応じて、様々なサイズの商品が販売されており、例えば、サイズに応じて小さいものから順に、幼児用としては、ＳＳ、Ｓ、Ｍ、Ｌ、ＸＬ（ＢＩＧ）、ＢＩＧより大きいスーパーＢＩＧの６種類、成人用としては、ＳＳ、Ｓ、Ｓ−Ｍ（ＳとＭの中間サイズ）、Ｍ、Ｍ−Ｌ（ＭとＬの中間サイズ）、Ｌ、ＬＬの７種類、のサイズに分類される。
【０００４】
ここで、特に、成人用の場合には、着用者のウエスト回り、胴回り、レッグ回りの体型は、男性と女性に大きな差があり、画一的なサイズ構成では、全ての体型に適合させることが困難であった。また、成人用のパンツタイプ吸収性物品をアウターとして、専用の尿取りパッドを併用する場合も増えてきており、この場合、アウターの中に装着する尿取りパッドのサイズや厚さ及び着用者の体型を考慮して、アウターであるパンツタイプ吸収性物品のサイズを選択しなければならないため、従来の画一的なパンツタイプ吸収性物品のサイズ構成では、これらの使用実態に適しているとは言い難く、更に多様なサイズのパンツタイプ吸収性物品の供給が求められている。
【０００５】
一方で、種々のサイズの製品を製造するためには、各サイズごとに製品寸法が異なるため、各サイズごとに適した専用機により製造するか、１台で複数のサイズのパンツタイプ吸収性物品を製造することが行わなわければならない。しかし、サイズごとの専用機を設けることは、多大な設備投資が伴うものであり、逆に、１台の製造設備で複数のサイズを製造する場合には、各サイズチェンジのための作業労力、調整にかかる時間、資材ロス等が膨大となり、製造コストに多大な影響をもたらすことになる。よって、一つのサイズで、複数のサイズをカバーできるパンツタイプ吸収性物品の検討がなされている。
【０００６】
このような検討がなされてきたパンツタイプ吸収性物品として、特許文献１には、パンツタイプ吸収性物品の左右両腰に対応した各接合位置の間隔を変更することによって、胴回り周長及びレッグ回り周長の異なるパンツタイプ吸収性物品を製造することを特徴とするパンツタイプ吸収性物品の製造方法が開示されている。また、特許文献２には、パンツタイプ吸収性物品の両側部のウエスト開口部近傍およびレッグ開口部近傍の外表面に、パンツタイプ吸収性物品の他の外表面と着脱自在で、ウエスト開口サイズ又はレッグ開口サイズを調節可能な締結手段を設けたパンツタイプ吸収性物品が開示されている。さらに、特許文献３には、パンツタイプ吸収性物品のウエスト開口部とレッグ開口部の上端との間に位置する胴回り部のうち、両側部に、胴回り方向の一部の範囲として定まるマチ部がそれぞれ設けられるとともに、両端部がマチ部の胴回り方向一方側及び他方側にそれぞれ固定された固定部が設けられたパンツタイプ吸収性物品が開示されている。
【先行技術文献】
【特許文献】
【０００７】
【特許文献１】特開平８−５６９８８号公報
【特許文献２】特開２００８−１４２３５７号公報
【特許文献３】特開２０１１−７２４２９号公報
【発明の概要】
【発明が解決しようとする課題】
【０００８】
しかしながら、特許文献１から３に記載のパンツタイプ吸収性物品においても、サイズを調整する際には締結手段やマチ部の調整が必要であり、幼児用においては保護者が、成人用においては介護者が、調整を行わなければならない場合があり、装着性が十分ではないという問題があり、さらに、締結手段やマチ部を設けたことによる着用時の違和感が発生することがあり、着用感についても十分ではないという問題があった。そこで、本発明は、低コストで、装着性及び着用感に優れるパンツタイプ吸収性物品及びその製造方法を提供することを目的とする。
【課題を解決するための手段】
【０００９】
本発明の発明者らは、上記課題に鑑み、鋭意研究を行った。その結果、所定の着圧比率及び伸張率比率を調整した、パンツタイプ吸収性物品によれば、上記課題を解決できることを見出し、本発明を完成するに至った。具体的には、本発明は、以下のものを提供する。
【００１０】
（１）本発明の第１の態様は、前側胴回り領域及び後側胴回り領域の上部にウエスト開口部を形成し、前側胴回り領域及び後側胴回り領域の間の股領域の左右両側にレッグ開口部を形成した、パンツタイプ吸収性物品であって、前記パンツタイプ吸収性物品は、液透過性のトップシート、液不透過性のバックシート、並びにトップシート及びバックシートの間に配置される吸収体、から構成される吸収性本体と、パンツタイプ吸収性物品の外形形状を構成する外装不織布シート、及び外装不織布シートに対して身体側に設けられる内装不織布シート、から構成される外装体と、を有し、前記ウエスト開口部の周縁、前記レッグ開口部の周縁、前記前側胴回り領域、前記後側胴回り領域、及び前記股領域においては、前記外装不織布シート及び前記内装不織布シートの間に、複数の伸縮性弾性部材が配置されて、前記外装不織布シート及び前記内装不織布シートに接合されており、パンツタイプ吸収性物品を、サイズに応じて小さいものから順に、Ｏ、Ｐ、Ｑに区分し、ＯとＰの中間のサイズであるＯ−Ｐのパンツタイプ吸収性物品であって、伸縮性弾性部材を配設する前のＯ−Ｐのパンツタイプ吸収性物品の展開時の長手方向及び幅方向の寸法は、伸縮性弾性部材を配設する前のＰのパンツタイプ吸収性物品の展開時の長手方向及び幅方向のそれぞれの寸法と同一であり、さらに、前記ウエスト開口部から前記レッグ開口部にかけて、長手方向に、第１領域、第２領域、第３領域、第４領域、第５領域及び第６領域に６等分した場合において、Ｐのパンツタイプ吸収性物品の第１領域から第６領域の各着圧に対する、Ｏ−Ｐのパンツタイプ吸収性物品の対応する各領域の各着圧との比率を示す着圧比率において、第１領域の着圧比率が、第２領域から第６領域の着圧比率の平均値よりも小さく、Ｐのパンツタイプ吸収性物品の第１領域から第６領域の各伸張率に対する、Ｏ−Ｐのパンツタイプ吸収性物品の対応する各領域の各伸張率との比率を示す伸張率比率において、第１領域の伸張率比率が、第２領域から第６領域の伸張率比率の平均値よりも小さい、パンツタイプ吸収性物品である。
【００１１】
（２）本発明の第２の態様は、（１）に記載のパンツタイプ吸収性物品であって、Ｐのパンツタイプ吸収性物品の第２領域から第６領域の各着圧に対する、Ｏ−Ｐのパンツタイプ吸収性物品の対応する各領域の各着圧との比率を示す着圧比率において、第２領域から第６領域の着圧比率の平均値が、１２０％以上１３５％以下であることを特徴とするものである。
【００１２】
（３）本発明の第３の態様は、（１）又は（２）に記載のパンツタイプ吸収性物品であって、Ｐのパンツタイプ吸収性物品の第１領域から第６領域の各着圧に対する、Ｏ−Ｐのパンツタイプ吸収性物品の対応する各領域の各着圧との比率を示す着圧比率が、１１５％以上１４０％以下であることを特徴とするものである。
【００１３】
（４）本発明の第４の態様は、（１）から（３）のいずれかに記載のパンツタイプ吸収性物品であって、Ｐのパンツタイプ吸収性物品の第２領域から第６領域の各伸張率に対する、Ｏ−Ｐのパンツタイプ吸収性物品の対応する各領域の各伸張率との比率を示す伸張率比率において、第２領域から第６領域の伸張率比率の平均値が、１１０％以上１２５％以下であることを特徴とするものである。
【００１４】
（５）本発明の第５の態様は、前側胴回り領域及び後側胴回り領域の上部にウエスト開口部を形成し、前側胴回り領域及び後側胴回り領域の間の股領域の左右両側にレッグ開口部を形成した、パンツタイプ吸収性物品であって、前記パンツタイプ吸収性物品は、液透過性のトップシート、液不透過性のバックシート、並びにトップシート及びバックシートの間に配置される吸収体、から構成される吸収性本体と、パンツタイプ吸収性物品の外形形状を構成する外装不織布シート、及び外装不織布シートに対して身体側に設けられる内装不織布シート、から構成される外装体と、を有し、前記ウエスト開口部の周縁、前記レッグ開口部の周縁、前記前側胴回り領域、前記後側胴回り領域、及び前記股領域においては、前記外装不織布シート及び前記内装不織布シートの間に、複数の伸縮性弾性部材が配置されて、前記外装不織布シート及び前記内装不織布シートに接合されており、さらに、パンツタイプ吸収性物品を、サイズに応じて小さいものから順に、Ｏ、Ｐ、Ｑに区分し、ＰとＱの中間のサイズであるＰ−Ｑのパンツタイプ吸収性物品であって、伸縮性弾性部材を配設する前のＰ−Ｑのパンツタイプ吸収性物品の展開時の長手方向及び幅方向の寸法は、伸縮性弾性部材を配設する前のＰのパンツタイプ吸収性物品の展開時の長手方向及び幅方向のそれぞれの寸法と同一であり、さらに、前記ウエスト開口部から前記レッグ開口部にかけて、長手方向に、第１領域、第２領域、第３領域、第４領域、第５領域及び第６領域に６等分した場合において、Ｐのパンツタイプ吸収性物品の第１領域から第６領域の各着圧に対する、Ｐ−Ｑのパンツタイプ吸収性物品の対応する各領域の各着圧との比率を示す着圧比率において、第１領域の着圧比率が、第２領域から第６領域の着圧比率の平均値よりも大きく、Ｐのパンツタイプ吸収性物品の第１領域から第６領域の各伸張率に対する、Ｐ−Ｑのパンツタイプ吸収性物品の対応する各領域の各伸張率との比率を示す伸張率比率において、第１領域の伸張率比率が、第２領域から第６領域の伸張率比率の平均値よりも大きい、パンツタイプ吸収性物品である。
【００１５】
（６）本発明の第６の態様は、（５）に記載のパンツタイプ吸収性物品であって、Ｐのパンツタイプ吸収性物品の第２領域から第６領域の各着圧に対する、Ｐ−Ｑのパンツタイプ吸収性物品の対応する各領域の各着圧との比率を示す着圧比率において、第２領域から第６領域の着圧比率の平均値が、６０％以上７５％以下であることを特徴とするものである。
【００１６】
（７）本発明の第７の態様は、（５）又は（６）に記載のパンツタイプ吸収性物品であって、Ｐのパンツタイプ吸収性物品の第１領域から第６領域の各着圧に対する、Ｐ−Ｑのパンツタイプ吸収性物品の対応する各領域の各着圧との比率を示す着圧比率が、５５％以上８０％以下であることを特徴とするものである。
【００１７】
（８）本発明の第８の態様は、（５）から（７）のいずれかに記載のパンツタイプ吸収性物品であって、Ｐのパンツタイプ吸収性物品の第２領域から第６領域の各伸張率に対する、Ｐ−Ｑのパンツタイプ吸収性物品の対応する各領域の各伸張率との比率を示す伸張率比率において、第２領域から第６領域の伸張率比率の平均値が、８０％以上９０％以下であることを特徴とするものである。
【００１８】
（９）本発明の第９の態様は、前記吸収体を前記トップシートと前記バックシートとの間に挟持し、トップシートとバックシートを接合して前記吸収性本体を作製する工程と、前記ウエスト開口部の周縁、前記レッグ開口部の周縁、前記前側胴回り領域、前記後側胴回り領域、及び前記股領域において、前記外装不織布シート及び前記内装不織布シートの間に、複数の前記伸縮性弾性部材を配置し、前記外装不織布シート及び前記内装不織布シートに接合する工程と、前記外装体の身体側に前記吸収性本体を配設する工程と、前記前側胴回り領域及び前記後側胴回り領域の両側縁を接続する工程と、を有する（１）から（８）のいずれかに記載のパンツタイプ吸収性物品の製造方法であって、Ｏ−Ｐ又はＰ−Ｑのパンツタイプ吸収性物品の製造において、Ｐのパンツタイプ吸収性物品と同じ製造装置を用いることを特徴とするものである。
【発明の効果】
【００１９】
本発明のパンツタイプ吸収性物品は、サイズに応じて小さいものから順に、Ｏ、Ｐ、Ｑに区分した場合において、ＯとＰの中間のサイズであるＯ−Ｐ、又は、ＰとＱの中間のサイズであるＰ−Ｑ、のパンツタイプ吸収性物品であり、伸縮性弾性部材を配設する前のＯ−Ｐ又はＰ−Ｑのパンツタイプ吸収性物品の展開時の長手方向及び幅方向の寸法は、伸縮性弾性部材を配設する前のＰのパンツタイプ吸収性物品の展開時の長手方向及び幅方向の寸法とそれぞれ同一であるため、中間サイズのパンツタイプ吸収性物品を製造するために、新たな設備を設ける必要がなく、低コストである。さらに、本発明のパンツタイプ吸収性物品は、伸縮性弾性部材により所定の着圧比率及び伸張率比率が調整されており、締結手段やマチ部を設ける必要がなく、また、着用者が装着する際にサイズを調整する必要がないため、装着性及び着用感に優れる。よって、本発明によれば、低コストで、装着性及び着用感に優れるパンツタイプ吸収性物品を提供することができる。
【図面の簡単な説明】
【００２０】
【図１】本発明のパンツタイプ吸収性物品の斜視図である。
【図２】本発明のパンツタイプ吸収性物品の展開図である。
【発明を実施するための形態】
【００２１】
以下、本発明の実施形態に係るパンツタイプ吸収性物品について説明する。なお、パンツタイプ吸収性物品を着用したときに着用者の腹側となる位置を「前」又は「前側」と称し、着用者の背側となる位置を「後」又は「後側」と称する。また、パンツタイプ吸収性物品を着用したときに着用者の肌側となる面を「内側」と称する。
【００２２】
＜パンツタイプ吸収性物品＞
図１は、本発明のパンツタイプ吸収性物品１の斜視図であり、図２は、本発明のパンツタイプ吸収性物品１の展開図である。パンツタイプ吸収性物品１は、着用者の股間部を前後から覆う前後方向に細長い形態を有する吸収性本体２０と、吸収性本体２０の外側に重なりつつ吸収性本体２０の周囲に延びてパンツタイプ吸収性物品１の外形形状を構成する外装体３０と、を有している。そして、図１に示すように、外装体３０によりその外形形状が構成されるパンツタイプ吸収性物品１は、前側胴回り領域１３及び後側胴回り領域１５の上部にウエスト開口部１１が、前側胴回り領域１３及び後側胴回り領域１５の間の股領域１４の左右両側にレッグ開口部１２が形成されており、大きく区分して、着用者の腹部に当接する前側胴回り領域１３、着用者の背部に当接する後側胴回り領域１５、及び吸収性本体２０が配置された股領域１４に区分される。
【００２３】
［吸収性本体］
図２に示すように、吸収性本体２０は、液透過性のトップシート２４と、液不透過性のバックシート２５と、トップシート２４及びバックシート２５の間に配置される吸収体２９とを含む。
【００２４】
（トップシート）
トップシート２４は、体液が吸収体２９へと移動するような液透過性を備えた基材から形成すればよく、例えば、サーマルボンド不織布、スパンボンド不織布等の不織布、サーマルボンド／スパンボンドを積層した複合不織布等の親水性の不織布材料等、感触が柔らかで肌に刺激を与えない材料から構成される。また、トップシート２４には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２４には、ローション、酸化防止剤、抗炎症成分、ｐＨ調整剤、抗菌剤、保湿剤等を含有させてもよい。さらに、強度及び加工性の点から、トップシート２４の坪量は、１８ｇ／ｍ２以上４０ｇ／ｍ２以下であることが好ましい。トップシート２４の形状としては特に制限はないが、漏れがないように体液を吸収体２９へと誘導するために必要とされる、吸収体２９を覆う形状であればよい。
【００２５】
（バックシート）
バックシート２５は、吸収体２９が保持している体液が衣類を濡らさないような液不透過性を備えた基材を用いて形成すればよく、通気性又は非通気性の樹脂フィルムから形成される。ここで、使用できる樹脂フィルムとしては、例えば、ポリエステル、ポリビニルアルコール、ポリエチレン、ポリプロピレン、ポリエチレンとポリプロピレンの複合フィルム等が挙げられる。強度及び加工性の点から、バックシート２５の坪量は、１５ｇ／ｍ２以上４０ｇ／ｍ２以下であることが好ましい。また、装着時の蒸れを防止するため、通気性を有する樹脂フィルムをバックシート２５として使用することが好ましい。バックシート２５に通気性を備えさせるためには、例えば、基材の樹脂フィルムにフィラーを配合したり、バックシート２５にエンボス加工を施したりすればよい。なお、フィラーとしては炭酸カルシウムを挙げることができ、その配合方法は、公知の方法を制限なく行うことができる。
【００２６】
（吸収体）
吸収性本体２０は、トップシート２４及びバックシート２５の間に配置される吸収体２９を有している。吸収体２９は、基材としての吸収性繊維と、高吸水性ポリマー（ＳＡＰ）と、を含有する。吸収性繊維は、一般に生理用ナプキンやおむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体２９の吸収性繊維は、吸収性能及び肌触りを損なわないよう、５０ｇ／ｍ２以上８００ｇ／ｍ２以下の坪量とすることが好ましい。
【００２７】
吸収体２９に使用される高吸水性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体２９のＳＡＰ量は、吸収性能及び肌触りを損なわないよう、１０ｇ／ｍ２以上５００ｇ／ｍ２以下の坪量とすることが好ましく、１５質量％以上５０質量％以下の含有量とすることが好ましい。
【００２８】
吸収体２９における吸収性繊維及びＳＡＰの形態は、吸収性繊維中にＳＡＰ粒子を混合して形成した積層マットの形態であることが好ましい。また、ＳＡＰ粒子の漏洩防止や吸収体２９の形状の安定化の目的から、吸収体２９をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００２９】
吸収体２９は、２層以上の吸収体からなるものであってもよく、例えば、上層吸収体と下層吸収体とを積層してなるものであってもよい。この場合、上層吸収体と下層吸収体の長手方向及び幅方向の寸法は、上層吸収体の寸法が下層吸収体の寸法より大きくてもよく、上層吸収体の寸法が下層吸収体の寸法と同じであってもよく、上層吸収体の寸法が下層吸収体の寸法より小さくてもよい。
【００３０】
［外装体］
外装体３０は、パンツタイプ吸収性物品の外形形状を構成し、ウエスト開口部１１及びレッグ開口部１２を形成し、パンツタイプ吸収性物品の外形形状を構成する外装不織布シート３０１と、外装不織布シート３０１の身体側の内装不織布シート３０２から構成される。
【００３１】
（外装不織布シート及び内装不織布シート）
外装不織布シート３０１は、股領域１４となる中心線を中心としてほぼ対称な前側胴回り領域１３と後側胴回り領域１５とを有し、吸収性本体２０も上記中心線を中心としてほぼ対称に配置されている。そして、吸収性本体２０が内側となるように外装不織布シート３０１（及び吸収性本体２０）が上記中心線で二つ折りにされ、前側胴回り領域１３及び後側胴回り領域１５の両側縁がサイドシール部３０３を介して接続されている。これにより、外装不織布シート３０１は、伸縮性のウエスト開口部１１と、一対のレッグ開口部１２とを形成し、パンツタイプ吸収性物品を全体として着脱可能なパンツ状に構成する。そして、パンツタイプ吸収性物品を着用すると、前側胴回り領域１３が着用者の腹側で腰部及び股間部を覆い、後側胴回り領域１５が着用者の背側で腰部及び股間部を覆うようになっている。
【００３２】
外装不織布シート３０１の内側には、内装不織布シート３０２が積層されており、外装体３０の強度を高めるようになっている。また、外装体３０には、外装不織布シート３０１及び内装不織布シート３０２に加えて、吸収性本体２０の周縁を覆う補助シートが設けられ、これが内装不織布シート３０２に積層されていてもよい。外装不織布シート３０１及び内装不織布シート３０２には、サーマルボンド不織布、エアースルー不織布、スパンボンド不織布等の不織布、好ましくはエアースルー不織布又はスパンボンド不織布であって、ポリプロピレン、ポリエステル、ポリエチレン等の熱可塑性樹脂からなる不織布を用いることができる。これらの不織布を用いる場合、その坪量は、１０ｇ／ｍ２以上４０ｇ／ｍ２以下とすればよい。
【００３３】
［伸縮性弾性部材］
本発明のパンツタイプ吸収性物品１には、図２に示すように外装不織布シート３０１及び内装不織布シート３０２の間において、ウエスト開口部１１の周縁にウエスト伸縮性弾性部材３１１、レッグ開口部１２周縁及び股領域１４にクロッチ部伸縮性弾性部材３１２、前側胴回り領域１３及び後側胴回り領域１５に胴回り伸縮性弾性部材３１３、が配置されており、これらは、外装不織布シート３０１及び内装不織布シート３０２に接合されている。なお、内装不織布シート３０２と伸縮性弾性部材とは、伸縮性弾性部材にのみ介在するホットメルト接着剤を介して互いに接着されていることが好ましい。
【００３４】
伸縮性弾性部材を構成する弾性部材としては、例えば、天然ゴム、合成ゴム、ポリウレタン等の糸状、紐状、平型形状のものを適宜使用することができ、その太さは、３００ｄｔｅｘ以上１５００ｄｔｅｘ以下であることが好ましい。
【００３５】
［パンツタイプ吸収性物品のサイズ］
本発明のパンツタイプ吸収性物品１は、サイズに応じて小さいものから順に、Ｏ、Ｐ、Ｑに区分した場合において、ＯとＰの中間のサイズであるＯ−Ｐ、又は、ＰとＱの中間のサイズであるＰ−Ｑ、のパンツタイプ吸収性物品である。また、伸縮性弾性部材を配設する前のＯ−Ｐ又はＰ−Ｑのパンツタイプ吸収性物品の展開時の長手方向及び幅方向の寸法は、伸縮性弾性部材を配設する前のＰのパンツタイプ吸収性物品の展開時の長手方向及び幅方向のそれぞれの寸法と同一である。よって、中間サイズであるパンツタイプ吸収性物品を製造するために、新たな設備を設ける必要がなく、低コスト化を実現できる。
【００３６】
［第１領域から第６領域］
さらに、本発明のパンツタイプ吸収性物品１は、図１及び図２に示すように、ウエスト開口部１１からレッグ開口部１２にかけて、長手方向に、第１領域、第２領域、第３領域、第４領域、第５領域及び第６領域に６等分される。本発明のパンツタイプ吸収性物品１においては、各領域における後述する着圧比率及び伸張率比率を調整することにより、サイズの調整がなされているため、着用時に締結手段やマチ部を調整する必要がなく、装着性に優れる。
【００３７】
［着圧比率］
本発明のパンツタイプ吸収性物品１において、Ｐのパンツタイプ吸収性物品の第１領域から第６領域の各着圧に対する、Ｏ−Ｐのパンツタイプ吸収性物品の対応する各領域の各着圧との比率を示す着圧比率において、第１領域の着圧比率が、第２領域から第６領域の着圧比率の平均値よりも小さい。また、Ｐ−Ｑのパンツタイプ吸収性物品の対応する各領域の各着圧との比率を示す着圧比率において、第１領域の着圧比率が、第２領域から第６領域の着圧比率の平均値よりも大きい。このように、伸縮性弾性部材により着圧比率を調整することで、ずり落ち締めつけ感が抑制され、着用感を向上させることができる。より具体的には、上記の着圧比率の調整により、Ｏ−Ｐのパンツタイプ吸収性物品は、Ｐのパンツタイプ吸収性物品と対比した場合において、ウエスト回りよりも腰回りで支えることを重視した設計となり、着用者の体格が小さい場合であっても、良好にフィットし、ずり落ちを抑制することができる。また、Ｐ−Ｑのパンツタイプ吸収性物品は、Ｐのパンツタイプ吸収性物品と対比した場合において、ウエスト回りで支えることを重視し、腰回りはゆったりとした設計となり、着用者の体格が大きい場合であっても、締めつけを抑制することができる。なお、伸縮性弾性部材により、着圧比率を調整しているため、新たな設備を設ける必要がなく、低コスト化を実現できる。一方で、Ｏ−Ｐのパンツタイプ吸収性物品の第１領域の着圧比率が、第２領域から第６領域の着圧比率の平均値よりも大きい場合、又は、Ｐ−Ｑのパンツタイプ吸収性物品の第１領域の着圧比率が、第２領域から第６領域の着圧比率の平均値よりも小さい場合には、ずり落ちが起こりやすく、また、締めつけを感じ易くなり、装着性及び着用感が低下する。
【００３８】
本発明のパンツタイプ吸収性物品１の着圧の測定方法について説明する。着圧の測定には、エイエムアイ・テクノ社製のエアパック式接直圧測定器を用いる。円周８００ｍｍの円周の測定位置にエアパックを貼り付け、その上からパンツタイプ吸収性物品を装着し、装着前後のエアパックの圧力差を読み取り着圧とする。第１領域から第６領域の各領域において、前側胴回り領域１３及び後側胴回り領域１５の幅方向中心線と、幅方向両端部と、の各中間地点（計４点）の着圧を測定し、４点の着圧の平均値を各領域の着圧（ｇｆ／ｃｍ２）とする。
【００３９】
さらに、装着性及び着用感の観点から、Ｐのパンツタイプ吸収性物品の第２領域から第６領域の各着圧に対する、Ｏ−Ｐのパンツタイプ吸収性物品の対応する各領域の各着圧との比率を示す着圧比率において、第２領域から第６領域の着圧比率の平均値が、１２０％以上１３５％以下であることが好ましい。当該数値が１２０％未満である場合には、着用感について、Ｐのパンツタイプ吸収性物品を着用した場合との差異が感じづらく、１３５％を超える場合には、装着性、着用感、体液の漏れにくさ等のパンツタイプ吸収性物品に必要な機能のバランスが取りづらくなる。また、装着性及び着用感の観点から、Ｐのパンツタイプ吸収性物品の第２領域から第６領域の各着圧に対する、Ｐ−Ｑのパンツタイプ吸収性物品の対応する各領域の各着圧との比率を示す着圧比率において、第２領域から第６領域の着圧比率の平均値が、６０％以上７５％以下であることが好ましい。当該数値が７５％を超える場合には、着用感について、Ｐのパンツタイプ吸収性物品を着用した場合との差異が感じづらく、６０％未満の場合には、装着性、着用感、体液の漏れにくさ等のパンツタイプ吸収性物品に必要な機能のバランスが取りづらくなる。
【００４０】
さらに、装着性、着用感及び美粧性の観点から、Ｐのパンツタイプ吸収性物品の第１領域から第６領域の各着圧に対する、Ｏ−Ｐのパンツタイプ吸収性物品の対応する各領域の各着圧との比率を示す着圧比率が、１１５％以上１４０％以下であることが好ましい。当該数値が１１５％未満である場合には、着用感について、Ｐのパンツタイプ吸収性物品を着用した場合との差異が感じづらく、１４０％を超える場合には、装着性、着用感、体液の漏れにくさ等のパンツタイプ吸収性物品に必要な機能のバランスが取りづらくなる。また、装着性、着用感及び美粧性の観点から、Ｐのパンツタイプ吸収性物品の第１領域から第６領域の各着圧に対する、Ｐ−Ｑのパンツタイプ吸収性物品の対応する各領域の各着圧との比率を示す着圧比率が、５５％以上８０％以下であることが好ましい。当該数値が８０％を超える場合には、着用感について、Ｐのパンツタイプ吸収性物品を着用した場合との差異が感じづらく、５５％未満の場合には、装着性、着用感、体液の漏れにくさ等のパンツタイプ吸収性物品に必要な機能のバランスが取りづらくなる。
【００４１】
［伸張率比率］
本発明のパンツタイプ吸収性物品１において、Ｐのパンツタイプ吸収性物品の第１領域から第６領域の各伸張率に対する、Ｏ−Ｐのパンツタイプ吸収性物品の対応する各領域の各伸張率との比率を示す伸張率比率において、第１領域の伸張率比率が、第２領域から第６領域の伸張率比率の平均値よりも小さい。また、Ｐのパンツタイプ吸収性物品の第１領域から第６領域の各伸張率に対する、Ｐ−Ｑのパンツタイプ吸収性物品の対応する各領域の各伸張率との比率を示す伸張率比率において、第１領域の伸張率比率が、第２領域から第６領域の伸張率比率の平均値よりも大きい。このように、伸縮性弾性部材により伸張率比率（％）を調整することで、ずり落ちや締めつけ感が抑制され、着用感を向上させることができる。さらに、伸縮性弾性部材により、伸張率比率を調整しているため、新たな設備を設ける必要がなく、低コスト化を実現できる。なお、伸張率（％）は、パンツタイプ吸収性物品の各領域について、静置状態の幅方向の長さに対する、最大伸張時の幅方向の長さを示す。
【００４２】
さらに、装着性及び着用感の観点から、Ｐのパンツタイプ吸収性物品の第２領域から第６領域の各伸張率に対する、Ｏ−Ｐのパンツタイプ吸収性物品の対応する各領域の各伸張率との比率を示す伸張率比率において、第２領域から第６領域の伸張率比率の平均値が、１１０％以上１２５％以下であることが好ましい。また、装着性及び着用感の観点から、Ｐのパンツタイプ吸収性物品の第２領域から第６領域の各伸張率に対する、Ｐ−Ｑのパンツタイプ吸収性物品の対応する各領域の各伸張率との比率を示す伸張率比率において、第２領域から第６領域の伸張率比率の平均値が、８０％以上９０％以下であることが好ましい。
【００４３】
［パンツタイプ吸収性物品の製造方法］
パンツタイプ吸収性物品の製造方法としては、特に制限はなく、従来公知の方法を採用することができ、例えば、吸収体２９をトップシート２４とバックシート２５との間に挟持し、トップシート２４とバックシート２５を接合して吸収性本体２０を作製する工程、ウエスト開口部１１の周縁、レッグ開口部１２の周縁、前側胴回り領域１３、後側胴回り領域１５、及び股領域１４において、外装不織布シート３０１及び内装不織布シート３０２の間に、複数の伸縮性弾性部材を配置し、外装不織布シート３０１及び内装不織布シート３０２に接合する工程、外装体３０の身体側に吸収性本体２０を配設する工程、前側胴回り領域１３及び後側胴回り領域１５の両側縁を、サイドシール部３０３を介して接続する工程、の順に各工程を経ることで、パンツタイプ吸収性物品を得ることができる。なお、Ｏ−Ｐ又はＰ−Ｑのパンツタイプ吸収性物品の製造において、伸縮性弾性部材により各サイズを調整するため、Ｏ−Ｐ又はＰ−Ｑのパンツタイプ吸収性物品の製造において、Ｐのパンツタイプ吸収性物品の製造で用いる製造装置と同じ製造装置を用いることができる。
【００４４】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【実施例】
【００４５】
以下、本発明について、実施例を挙げて詳細に説明する。なお、本発明は以下に示す実施例に何ら限定されるものではない。
【００４６】
（パンツタイプ吸収性物品の作製）
まず、フラッフパルプ及びＳＡＰを混合して、吸収体を準備し、吸収体をトップシートとバックシートとの間に挟持し、トップシートとバックシートの全周に亘ってホットメルト接着剤を用いて固定し、吸収体本体を作製する。次に、ウエスト開口部の周縁、レッグ開口部の周縁、前側胴回り領域、後側胴回り領域、及び股領域において、外装不織布シート及び内装不織布シートの間に、複数の伸縮性弾性部材を配置し、外装不織布シート及び内装不織布シートに接合した。その後、外装体の身体側に吸収性本体を配設し、前側胴回り領域及び後側胴回り領域の両側縁を、サイドシール部を介して接続し、実施例１から２及び参考例１から４のパンツタイプ吸収性物品を得た。なお、トップシートとしては、サーマルボンド不織布を用い、外装不織布シート、及び内装不織布シートとしては、スパンボンド不織布を用い、バックシートとしては、通気性ポリエチレンフィルムを用い、伸縮性弾性部材については、ウエスト伸縮性弾性部材として太さ１２４０ｄｅｔｘ、胴回り伸縮性弾性部材として太さ６２０ｄｅｔｘ、の糸状の合成ゴムを用いた。
【００４７】
さらに、パンツタイプ吸収性物品をサイズに応じて小さいものから順に、Ｏ、Ｐ、Ｑに区分し、各実施例及び各参考例では、Ｐのパンツタイプ吸収性物品、ＯとＰの中間サイズであるＯ−Ｐのパンツタイプ吸収性物品、ＰとＱの中間のサイズであるＰ−Ｑのパンツタイプ吸収性物品、の３種類のパンツタイプ吸収性物品を用意した。なお、伸縮性弾性部材を配設する前のＯ−Ｐ又はＰ―Ｑのパンツタイプ吸収性物品の展開時の長手方向及び幅方向の寸法は、伸縮性弾性部材を配設する前のＰのパンツタイプ吸収性物品の展開時の長手方向及び幅方向のそれぞれの寸法と同一であり、伸縮性弾性部材により、各領域の着圧及び伸張率を調整することで、表２に記載した着圧比率及び伸張率比率であるＯ−Ｐ及びＰ−Ｑのパンツタイプ吸収性物品を得た。伸縮性弾性部材を配設する前のパンツタイプ吸収性物品の展開時の長手方向及び幅方向の寸法を表１に示した。
【００４８】
また、表１に記載したように、実施例１、参考例１及び参考例２では、Ｐのパンツタイプ吸収性物品として、通常販売されている成人用のパンツタイプ吸収性物品のＬサイズに相当するパンツタイプ吸収性物品、Ｏ−Ｐのパンツタイプ吸収性物品としてＭ−Ｌサイズに相当するパンツタイプ吸収性物品、Ｐ−Ｑのパンツタイプ吸収性物品としてＬＬサイズに相当するパンツタイプ吸収性物品、をそれぞれ用意した。また、実施例２、参考例３及び参考例４では、Ｐのパンツタイプ吸収性物品として、通常販売されている成人用パンツタイプ吸収性物品のＭサイズに相当するパンツタイプ吸収性物品、Ｏ−Ｐのパンツタイプ吸収性物品としてＳ−Ｍサイズに相当するパンツタイプ吸収性物品、Ｐ−Ｑのパンツタイプ吸収性物品としてＭ−Ｌサイズに相当するパンツタイプ吸収性物品、をそれぞれ用意した。
【００４９】
このようにして得られた各パンツタイプ吸収性物品を用いて、ずり落ち試験及びずり落ち及び締めつけに関するモニターテストの官能評価を行い、結果を表３に示した。
【００５０】
（ずり落ち試験：ずり落ち量）
円周８００ｍｍの円筒にウエスト開口部から１５０ｍｍの位置が円筒の下端部に当たるように、パンツタイプ吸収性物品を装着する。その後、円筒の上部からパンツタイプ吸収性物品の吸収体中央部に６００ｍｌの生理食塩水を吸収させ、吸水開始から６０秒後におけるパンツタイプ吸水性物品の下降した長さをずり落ち量（ｍｍ）とした。
【００５１】
（官能評価：ずり落ち感）
Ｐのパンツタイプ吸収性物品がＭサイズに相当する場合には、ウエストサイズが６０ｃｍ以上９０ｃｍ以下の１０名の成人をパネラーとし、Ｐのパンツタイプ吸収性物品がＬサイズに相当する場合には、ウエストサイズが８０ｃｍ以上１３０ｃｍ以下の１０名の成人をパネラーとした。各パネラーがＯ−Ｐ、Ｐ、Ｐ−Ｑのパンツタイプ吸収性物品をそれぞれ着用して生活し、以下の基準により評価を行った。
〇：「ずり落ちを感じる」がいないか、１人以上３人以下のとき
△：「ずり落ちを感じる」が４人以上７人以下のとき
×：「ずり落ちを感じる」が８人以上１０名以下のとき
【００５２】
（官能評価：締めつけ感）
Ｐのパンツタイプ吸収性物品がＭサイズに相当する場合には、ウエストサイズが６０ｃｍ以上９０ｃｍ以下の１０名の成人をパネラーとし、Ｐのパンツタイプ吸収性物品がＬサイズに相当する場合には、ウエストサイズが８０ｃｍ以上１３０ｃｍ以下の１０名の成人をパネラーとした。各パネラーがＯ−Ｐ、Ｐ、Ｐ−Ｑのパンツタイプ吸収性物品をそれぞれ着用して生活し、以下の基準により評価を行った。
〇：「強い締めつけを感じる」がいないか、１人以上３人以下のとき
△：「強い締めつけを感じる」が４人以上７人以下のとき
×：「強い締めつけを感じる」が８人以上１０名以下のとき
【００５３】
【表１】
2018186902.tif 000003
【００５４】
【表２】
2018186902.tif 000004
【００５５】
【表３】
2018186902.tif 000005
【００５６】
以上より、本発明によれば、低コストで、装着性及び着用感に優れるパンツタイプ吸収性物品を提供することができる。
【符号の説明】
【００５７】
１      パンツタイプ吸収性物品
１１    ウエスト開口部
１２    レッグ開口部
１３    前側胴回り領域
１４    股領域
１５    後側胴回り領域
２０    吸収性本体
２４    トップシート
２５    バックシート
２９    吸収体
３０    外装体
３０１  外装不織布シート
３０２  内装不織布シート
３０３  サイドシール部
３１１  ウエスト伸縮性弾性部材
３１２  クロッチ部伸縮性弾性部材
３１３  胴回り伸縮性弾性部材
【図１】
2018186902.tif 000006
【図２】
2018186902.tif 000007